(57)【要約】  イムノケミルミネセンスを利用してｐｐｔレベルで農薬を迅速検出する方法が開示される。前記方法は、ガラスキャピラリーカラムに充填された固定化抗体を充填する工程、農薬含量を試験すべき試料溶液を前記カラムに通し農薬抗体抱合体を形成する工程、前記農薬抗体抱合体をカラムから除去する工程およびそこへ尿素Ｈ2Ｏ2を、次いでルミノールおよびＫ3Ｆｅ（ＣＮ）6を加える工程、光が発生するまで前記溶液を完全に混合する工程および前記の発生した光をＣＣＤカメラにより捕捉する工程を含む方法であって、発生した光の強度が前記試料中の農薬含量の量に正比例している方法である。本発明は、本発明の方法を実施するためのキットも開示している。【特許請求の範囲】
【請求項１】
イムノケミルミネセンスを利用してｐｐｔレベルで農薬を迅速検出する方法であって、ガラスキャピラリーカラムに充填された固定化抗体を充填する工程、農薬含量を試験すべき試料溶液を前記カラムに通し農薬抗体抱合体を形成する工程、前記農薬抗体抱合体をカラムから除去する工程、そこへ尿素Ｈ2Ｏ2を、次いでルミノールおよびＫ3Ｆｅ（ＣＮ）6を加える工程、光が発生するまで前記溶液を完全に混合する工程、および前記の発生した光をＣＣＤカメラにより捕捉する工程を含む方法であって、発生した光の強度が前記試料中の農薬含量の量に正比例している方法。
【請求項２】
前記抗体が、ニワトリ中に発生し卵黄から精製され（ＩｇＹ−ＭＰ）、セファロースマトリックスに固定化されたメチルパラチオン（ＭＰ）抗体を含む、請求項１に記載の方法。
【請求項３】
前記尿素Ｈ2Ｏ2が１０−５０μｌの範囲で利用される、請求項１または２に記載の方法。
【請求項４】
前記ルミノールが１０−５０μｌの範囲で利用される。請求項１〜３のいずれか１項に記載の方法。
【請求項５】
前記Ｋ3ＦｅＣＮ6が１０−１５０μｌの範囲で利用される、請求項１〜４のいずれか１項に記載の方法。
【請求項６】
尿素Ｈ2Ｏ2の添加後に、前記農薬抗体抱合体が室温で約２分間維持される、請求項１〜５のいずれか１項に記載の方法。
【請求項７】
前記カラムにリン酸緩衝液が供給されて未結合農薬を洗浄する、請求項１〜６のいずれか１項に記載の方法。
【請求項８】
イムノケミルミネセンスを利用してｐｐｔレベルで農薬を迅速検出するキットであって、固定化抗体を充填するためのキャピラリーカラム、農薬含量に関して試験すべき試料溶液の源であって前記カラムと作動的に結合している試料溶液の源、前記カラムと作動的に結合している農薬の源、前記カラムと作動的に結合している緩衝液の源、前記カラムと作動的に結合している尿素Ｈ2Ｏ2の源、前記カラムと作動的に結合しているルミノールの源、光が発生するまで全ての試薬が完全に混合されるように前記カラムと作動的に結合しているＫ3Ｆｅ（ＣＮ）6の源、発生した光の捕捉および発生した光の強度を前記試料中に存在する農薬の濃度の関数として記録するＣＣＤカメラを含むキット。
【請求項９】
コンピュータが前記ＣＣＤカメラと結合して試験試料により発生した光を対照試料と比較する、請求項７に記載のキット。
【発明の詳細な説明】
【技術分野】
【０００１】
本発明は、電荷結合素子に基づく農薬分析の迅速テストキットを提供する。本発明は、農薬分析のための電荷結合素子に基づくテストキットの製造方法ならびに水、食品および環境中の農薬濃度を決定するためのその使用を提供する。
【背景技術】
【０００２】
水および農業に関連した環境保護には、人間の健康のために切迫した注意が必要である。主な健康上の問題は汚染された水および食物の使用により起こる。農業における有機塩素系および有機リン系農薬の利用は多くの国で実施されてきた。最近数十年に農業での農薬使用が増加した結果として、地下水、食品原料および加工食品は残留農薬により汚染されてきている。
【０００３】
汚染監視および保護当局は、汚染物質を分析するための迅速かつ敏感な方法を必要としている。農薬分析に通常使用される分析方法には、液体クロマトグラフィー、ガスクロマトグラフィーおよびＥＬＩＳＡ法がある（Ｌｅｈｏｔａｙ，Ｓ．Ｊ．，ａｎａｌｙｓｉｓ  ｏｆ  ｐｅｓｔｉｃｉｄｅ  ｒｅｓｉｄｕｅｓ  ｉｎ  ｍｉｘｅｄ  ｆｒｕｉｔ  ａｎｄ  ｖｅｇｅｔａｂｌｅ  ｅｘｔｒａｃｔｓ  ｂｙ  ｄｉｒｅｃｔ  ｓａｍｐｌｅ  ｉｎｔｒｏｄｕｃｔｉｏｎ／Ｇａｓ  ｃｈｒｏｍａｔｏｇｒａｐｈｙ／ｔａｎｄｅｍ  ｍａｓｓ  ｓｐｅｃｔｒｏｍｅｔｒｙ，Ｊ．ＡＯＡＣ  Ｉｎｔ．，２００２，８３，６８０−６９７；Ｓａｓａｋｉ．Ｋ．，Ｓｕｚｕｋｉ．Ｋ．，  ａｎｄ  Ｓｉｔｏ．  Ｙ．，（１９８７）‘Ａ  ｓｉｍｐｌｉｆｉｅｄ  ｃｌｅａｎｕｐ  ａｎｄ  ｇａｓ  ｃｈｒｏｍａｔｏｇｒａｐｈｉｃ  ｄｅｔｅｒｍｉｎａｔｉｏｎ  ｏｆ  ｏｒｇａｎｏｐｈｏｓｐｈｏｒｏｕｓ  ｐｅｓｔｉｃｉｄｅｓ  ｉｎ  ｃｒｏｐｓ’  Ｊｏｕｒｎａｌ  ｏｆ  ｔｈｅ  Ａｓｓｏｃｉａｔｉｏｎ  ｏｆ  Ｏｆｆｉｃｉａｌ  ａｎａｌｙｔｉｃａｌ  Ｃｈｅｍｉｓｔｓ  Ｉｎｔｅｒｎａｔｉｏｎａｌ，７０，４６０−４６４．Ｆｅｒｎａｎｄｅｚ．Ｍ．，Ｐｉｃｏ，Ｙ．，Ｇｉｒｏｔｔｉ，Ｓ．，Ｍａｎｅｓ，Ｊ．，‘Ａｎａｌｙｓｉｓ  ｏｆ  ｏｒｇａｎｏｐｈｏｓｐｈｏｒｏｕｓ  ｐｅｓｔｉｃｉｄｅｓ  ｉｎ  ｈｏｎｅｙ  ｂｅｅ  ｂｙ  ｌｉｑｕｉｄ  ｃｈｒｏｍａｔｏｇｒａｐｈｙ−ａｔｍｏｓｐｈｅｒｉｃ  ｐｒｅｓｓｕｒｅ  ｃｈｅｍｉｃａｌ  ｉｏｎｉｚａｔｉｏｎ−ｍａｓｓ  ｓｐｅｃｔｒｏｍｅｔｒｙ’，Ｊ．Ａｇｒｉｃ．Ｆｏｏｄ  ｃｈｅｍ．２００１，４９，３５４０−３５４７）。
【０００４】
これらの従来法はｐｐｂレベルまで感度があるが、時間と手間がかかり、熟練した専門家および高価な機器を要する。バイオセンサーは、農薬を迅速かつ経済的に検出する代替の機器法である。農薬の迅速な定性検出のためのバイオセンサーの応用に関する文献は少ない。特に、定性迅速技術は、現場応用のための水および食品材料中のメチルパラチオン（ＭＰ）残留農薬の検出には利用できない。
【０００５】
米国特許第６，５６９，３８４号（発明者；Ｇｒｅｅｎｂａｕｍ；Ｅｌｉａｓ（Ｏａｋ  Ｒｉｄｇｅ，ＴＮ）；Ｓａｎｄｅｒｓ；Ｃｈａｒｌｅｎｅ  Ａ．（Ｋｎｏｘｖｉｌｌｅ，ＴＮ）Ｍａｙ  ２７、２００３，‘Ｔｉｓｓｕｅ−ｂａｓｅｄ  ｗａｔｅｒ  ｑｕａｌｉｔｙ  ｂｉｏｓｅｎｓｏｒｓ  ｆｏｒ  ｄｅｔｅｃｔｉｎｇ  ｃｈｅｍｉｃａｌ  ｗａｒｆａｒｅ  ａｇｅｎｔｓ’）を参照する。彼らが記載しているのは、水をセル中に導入し、水中の天然で自由生活性の土着光合成生物体の光合成活性の分析に適したセルから水を排出する装置；セル中に入れられたこれらの生物体の光合成活性を測定するための蛍光計；および蛍光計からの生データを分析し、μｇ／ｍｌ（ｐｐｍレベル）で少なくとも１種の農薬の存在を示すシグナルを発する電子回路パッケージである。この方法の限界は、わずかｐｐｂレベルまでの農薬の検出ならびに時間がかかりどの農薬にも特異的でないことである。この方法は、多くの有機リン系およびカルバメート農薬に非特異的に応答するであろう。
【０００６】
Ｍｏｓｉｅｌｌｏ，Ｌ．，Ｃｒｅｍｉｓｉｎｉ，Ｃ．，Ｓｅｒｇｒｅ，Ｌ．，Ｃｈｉａｖａｒｉｎｉ，Ｓ．およびＳｐａｎｏ，Ｍ．（１９９８）、Ｄｉｐｓｔｉｃｋ  Ｉｍｍｕｎｏａｓｓａｙ  ｆｏｒｍａｔ  ｆｏｒ  ａｔｒａｚｉｎｅ  ａｎｄ  Ｔｅｒｂｕｔｈｙｌａｚｉｎｅ  ａｎａｌｙｓｉｓ  ｉｎ  ｗａｔｅｒ  ｓａｍｐｌｅｓ．  Ｊ．Ａｇｒｉｃ．Ｆｏｏｄ  Ｃｈｅｍ．４６，３８４７−３８５１に記載されているディップスティックイムノアッセイ法を参照する。この方法では、抗体がナイロンメンブレン上に固定化され、反射計が使用される場合検出限界は１．２から１０μｇ／Ｌ-1（ｐｐｂレベル）であった。この方法の検出限界はｐｐｂレベルである。報告されているとおり、この方法に存在する主な問題は低い精度であり、おそらくナイロンメンブレンまたはポリスチロールトランスペアレント上のモノクローナル抗体の均一性および着色ＴＭＢ電荷移動錯体の不安定性の問題による。
【０００７】
ＷＯ９３１４２２２中のＥｌｉｅｚｅｒ，Ｚ．，Ｓｔｅｖｅｎ，Ｓ．，Ｓｔａｎｅｌｙ  Ｅ．Ｃ．Ｓｃｉｅｎｃｅｓ，Ｃによる農薬測定のためのテストキットおよび方法を参照する。この公報では、生物学的検知剤として昆虫の脳の使用が開示されている。しかし、この公報は農薬の検出限界および分析に要する時間を記載していない。
【０００８】
以上で報告した従来技術の方法は時間がかかる。さらに、公知の方法のほとんどは検体に対して特異的でなく、しっかりした技術知識が使用者に求められる。したがって、農薬分析に使用するための改善された方法およびテストキットが必要とされている。
【発明の開示】
【発明が解決しようとする課題】
【０００９】
したがって、本発明の重要な目的は、上記の欠点を回避する、農薬検出用の迅速テストキットの提供である。
【００１０】
本発明の他の目的は、イムノケミルミネセンス（ｉｍｍｕｎｏ−ｃｈｅｍｉｌｕｍｉｎｅｓｃｅｎｃｅ）原理を利用した高感度（ｐｐｔレベル）での農薬検出のための迅速テストキットの提供である。
【課題を解決するための手段】
【００１１】
本発明の上記の目的または他の目的は、新規な方法でケミルミネセンス（ＣＬ）および生化学反応を利用して、高感度（ｐｐｔレベル）で農薬濃度に比例する光を生じさせることにより、本発明により達成される。ケミルミネセンス（ＣＬ）を利用する、農薬、特にメチル／エチルパラチオン（ＭＰ／ＥＰ）の測定に関する情報は現在ない。ＣＬ系テストキットは、検体の非常に低い濃度を検出するのに非常に鋭敏であることが知られている。ＣＬ法は、鋭敏な迅速アッセイおよび丈夫で安価な機器の可能性など多くの利点を有し、そのためこのテストキットは農薬測定における魅力的な分析手段となった。これに関し、（Ｊ  Ｗａｎｇ  Ｃ．Ｚｈａｎｇ，Ｈ．Ｗａｎｇ，Ｆ．Ｙａｎｇ  ａｎｄ  Ｘ．Ｚｈａｎｇ，２００１，Ｄｅｖｅｌｏｐｍｅｎｔ  ｏｆ  ａ  ｌｕｍｉｎｏｌ  ｂａｓｅｄ  ｃｈｅｍｉｌｕｍｎｅｓｃｅｎｃｅ  ｆｌｏｗ  ｉｎｊｅｃｔｉｏｎ  ｍｅｔｈｏｄ  ｆｏｒ  ｔｈｅ  ｄｅｔｅｒｍｉｎａｔｉｏｎ  ｏｆ  ｄｉｃｈｌｏｒｖｏｓ  ｐｅｓｔｉｃｉｄｅ，５４，１１８５−１１９３）を参照するが、彼らはジクロルボスをｐｐｍレベル（０．２−３．１μｇ／ｍｌ）で検出している。しかし、この方法はメチルパラチオンの検出には役に立たない。上述の従来技術法には抗体−抗原反応の関与が全くないことに留意すべきである。それに対し、本発明の新規性は、電荷結合素子（ＣＣＤ）に結合した農薬に特異的な、抗体−抗原反応の利用にある。ケミルミネセンスおよびＣＣＤカメラを利用した、高感度（最高ｐｐｔレベル）の農薬の検出に関する報告は存在しない。本発明中で開発されたＣＬ系テストキットは、最高ｐｐｔレベルでの迅速かつ鋭敏な農薬検出を可能にする。本発明の他の新規性は、フェリシアン化カリウムなどの電子伝達体を利用して、発せされる非常に低レベルの光シグナルを増幅し、それによりｐｐｍからｐｐｔレベルの異なる農薬濃度の明確な識別を可能にする点にある。
【発明を実施するための最良の形態】
【００１２】
本発明を添付図面を参照して詳細に説明する。図１は、過酸化水素による電子供与体基質のＨＲＰ酵素触媒酸化を示し、図２は、本発明による農薬テストキット使用のフローチャートを示す。
【００１３】
イムノケミルミネセンス（ＩＣＬ）に基づく農薬検出の原理：
本発明は、過酸化水素（Ｈ2Ｏ2）の存在下で、西洋ワサビペルオキシターゼ（ＨＲＰ）がルミノールの酸化を触媒するという発見に基づいている。ルミノールの酸化の直後、それは励起状態に達し、次いで発光により基底状態に戻る。この方法を利用し、エチルパラチオン（ＥＰ）およびメチルパラチオンなどの農薬を、それぞれの抗体を使用し検出することが可能である。
【００１４】
ＨＲＰ酵素は、以下の図式により、過酸化水素による電子供与体基質の酸化を触媒する。
ＨＲＰ＋Ｈ2Ｏ2→錯体１＋Ｈ2Ｏ
錯体（１）＋ルミノール（ＬＨ2）→錯体（ＩＩ）＋ルミノールラジカル（ＬＨ-）
錯体（ＩＩ）＋ルミノールラジカル（ＬＨ-）→化合物２＋ルミノール（完全に酸化）＋光
【００１５】
農薬検出：
ＭＰ抗体を、イムノバイオリアクター（ｉｍｍｕｎｏｂｉｏｒｅａｃｔｏｒ）カラム中のキャリアマトリックス上に過剰に固定化する。農薬分子は固定化された抗体と結合する。このプロセスの間、抗体部位のいくつか（エピトープ）は結合していないままである。これらの未結合部位は、ＭＰ−ＨＲＰ−抱合体の結合に利用可能である。一定量のＭＰ−ＨＲＰ−抱合体がカラムを通過したので、それにより残った抗体エピトープ部位はこの抱合体により占領される。この抗体カラムを完全に洗浄する。農薬およびＭＰ−ＨＲＰ−抱合体を有するこれらの固定化マトリックスを取り出し、上記のケミルミネセンス反応を施す。しかし、この反応中で、発生する光は非常に低強度である。光の強度を上げるために、電子伝達体Ｋ3ＦｅＣＮ6を加える。より多くの未反応Ｈ2Ｏ2を有する高い農薬濃度では、Ｋ3ＦｅＣＮ6はこれと反応し、農薬濃度と正比例する光強度の増加をもたらす。
【００１６】
図１に示すとおり、過酸化水素（Ｈ2Ｏ2）の存在下、西洋ワサビペルオキシターゼ（ＨＲＰ）は、ルミノールの酸化を触媒する。ルミノールの酸化の直後、それは励起状態に達し、次いで発光により基底状態に戻る。この方法を利用し、エチルパラチオン（ＥＰ）およびメチルパラチオンなどの農薬を、それぞれの抗体を使用し検出することが可能である。
【００１７】
図２は、本発明による方法およびキット（または装置）を表している。イムノケミルミネセンスを利用する、ｐｐｔレベルでの農薬の迅速検出のための本発明によるキット（または装置）は、固定化抗体を充填するキャピラリーカラム６を含む。農薬含量を試験すべき試料溶液２の源は、前記カラム６に作動的に結合している。緩衝液１の源は、抗体を平衡化し未結合農薬を洗浄するために、前記カラムに作動的に結合している。尿素Ｈ2Ｏ2、ルミノールおよびＫ3Ｆｅ（ＣＮ）6の源も前記カラム６に作動的に結合している。好ましくは、前記の試薬の源の全ては、蠕動ポンプ５を通じて前記カラム６に結合している。前記試薬を混合すると光が発生するが、前記カラム６に結合しているカラム７で起こる。発生した光はＣＣＤカメラ８により捕捉され、発生した光の強度を記録するが、対照試料との比較を行うコンピュータ９に結合している。
【００１８】
本発明による水中の農薬の存在を検出する方法の好ましい実施形態は、以下を含む。
（１）ニワトリ中に発生し卵黄から精製され（ＩｇＹ−ＭＰ）、還元アミノ化によりセファロースマトリックスに固定化された（Ｈｅｒｍａｎｓｏｎ  Ｇ．Ｔ．，Ａ．Ｋ．Ｍａｌｌｉａ  ａｎｄ  Ｓｍｉｔｊｈ  Ｐ．Ｋ．，Ｉｍｍｏｂｉｌｉｚｅｄ  ａｆｆｉｎｉｔｙ  ｌｉｇａｎｄ  ｔｅｃｈｎｉｑｕｅｓ．Ａｃａｄｅｍｉｃ  ｐｒｅｓｓ，１９９２，６９−７５）メチルパラチオン（ＭＰ）抗体を充填カラムに入れ、フローＥＬＩＳＡを実施したが、そこでは異なる濃度のＭＰおよびＭＰ−ＨＲＰ−抱合体を以下に記載のとおり使用した。２）１５０μｌの固定化抗体をガラスキャピラリーカラムに充填し、床体積の１０倍の冷ＰＢＳ（ｐＨ７．４、５０ｍＭ）で平衡化した。農薬を含むこの溶液の５０μｌの試料を、５０μｌ／分の流速でカラムに通した。３）ＰＢＳを５分間連続して通し、未結合農薬を洗浄した。４）２５μｌのＭＰ−ＨＲＰ−抱合体を５０μｌ／分の流速でカラムに通した。５）未結合の抱合体を、０．１％ＢＳＡを含むＰＢＳを用いて１５分間洗い流した。６）最後に、抱合体含有マトリックスをカラムから取り出し、以下のとおりケミルミネセンス試験に用いた。
【００１９】
上記のとおり得られた５０μｌの抱合体含有マトリックスに、２５μｌの尿素Ｈ2Ｏ2（Ｍｉｌｌｉ  Ｑ中１０ｍＭ）を加え、室温で２分放置した。次いで、２５μｌの０．１ｍＭルミノールを、２５μｌの０．５％Ｋ3Ｆｅ（ＣＮ）6（Ｍｉｌｌｉ  Ｑ水中で調製）に加え、完全に混合した。このプロセスの間、光が発生し、直ちに暗室条件下でＣＣＤカメラにより捕捉する。画像中の光の強度を、農薬のない対照と比べた。農薬含有試料中で発生する光がより多い一方で、対照中ではより少ない光が発生したことを見いだした。農薬濃度が高いとより多くの光が発生した一方で、より少ない農薬を含む試料ではより少ない光が観察されたことも観察した。
【００２０】
以下の実施例は説明のためのみに与えるので、本発明の範囲を限定すると解釈すべきでない。
【実施例】
【００２１】
この実施例は、図２に図式的に示される本発明を説明する。図２を参照すると、１５０μｌの固定化抗体をガラスキャピラリーカラム６に充填し、床体積の１０倍の冷ＰＢＳ（ｐＨ７．４、５０ｍＭ）で平衡化した。農薬を含む溶液２の５０μｌの試料を、５０μｌ／分の流速でカラム６に通した。ＰＢＳ１を５分間連続して通し、未結合農薬を洗浄した。２５μｌのＭＰ−ＨＲＰ−抱合体３を５０μｌ／分の流速でカラム６に通した。未結合の抱合体を、０．１％ＢＳＡを含むＰＢＳ１を用いて１５分間洗い流した。上記の試薬の全ては、蠕動ポンプ５を通してカラム６に通すことが好ましい。最後に、抱合体含有マトリックスをカラムから取り出し、以下のとおりケミルミネセンス試験に用いた。
【００２２】
上記のとおり得られた５０μｌの抱合体含有マトリックスに、２５μｌの尿素Ｈ2Ｏ2（Ｍｉｌｌｉ  Ｑ中１０ｍＭ）を加え、室温で２分放置した。次いで、２５μｌの０．１ｍＭルミノールを、２５μｌの０．５％Ｋ3Ｆｅ（ＣＮ）6に加え、７に示すとおり完全に混合した。このプロセスの間、光が発生し、直ちに暗室条件下でＣＣＤカメラ８により捕捉する。画像中の光の強度を、コンピュータ９により農薬のない対照と比べた。
【００２３】
ＩＣＬ強度を、異なる農薬（ＭＰ）濃度、すなわち１００ｐｐｂ、１ｐｐｂ、５００ｐｐｔおよび１０ｐｐｔで、農薬を全く有さない対照とともにモニターした。１０ｐｐｔまで明らかに観察できるＣＬ強度が確認できる。図２の下部から分かるとおり、低農薬濃度では、試料と対照の間のＣＬの差異は区別できない。このテストキット装置により、１０ｐｐｔまでの農薬の存在および非存在を検出することが可能であった。
【００２４】
本発明の農薬分析の単純な光検出キットにより、一般の人ですら、水、食品および環境中の農薬を試験することが可能である。
【図面の簡単な説明】
【００２５】
【図１】過酸化水素による電子供与体基質のＨＲＰ酵素触媒酸化を示す。
【図２】本発明による農薬テストキット使用のフローチャートを示す。
【図１】
2007531862.tif 000002
【図２】
2007531862.tif 000003
【国際調査報告】
2007531862.tif 000004
2007531862.tif 000005
2007531862.tif 000006
2007531862.tif 000007